(57)【要約】本発明は、ハウジングレール（１）、支持レール（２）、シールプロファイル（３）、下降機構、及び、通り抜け開口部（１２，２５，３０）を有するドロップダウンシールに関し、前記通り抜け開口部は、当該ドロップダウンシールの長手方向（Ｌ）に対し横に、且つ、前記支持レール（２）の昇降方向（Ａ）に対し平行に延び、この通り抜け開口部をロックバー（４）が通り抜けできる。支持レール（２）は、ベースレール（２０）と、前記ドロップダウンシールの長手方向（Ｌ）において該ベースレール（２０）に隣接する拡張手段（５）とを有する。前記通り抜け開口部（１２，２５，３０）は、前記拡張手段（５）に沿って又は通って延び、前記拡張手段（５）の全高にわたって、前記ベースレール（２０）の内側の幅（ＢＢ）より大きいか、あるいは、これに代えて又はこれに加えて、少なくとも前記ベースレールの外側の幅に相当する内側の幅（ＢＥ）を有する。前記内側の幅（ＢＥ，ＢＢ）は、前記長手方向（Ｌ）に対し垂直に、且つ、前記昇降方向（Ａ）に対し垂直に延びる。前記ベースレール（２０）、前記拡張手段（５）及び前記シールプロファイル（３）は、前記下降機構を用いて、共に昇降させることができる。分割された支持レールを備える本発明によるドロップダウンシールは、比較的厚みのあるドライブ又はエッジボルトバーとともに用いることができる。【選択図】図２
2018524500.tif 000002
【特許請求の範囲】
【請求項１】
ドア扉と床との間の隙間を密閉するための、敷居のないドア用のドロップダウンシールであって、当該ドロップダウンシールは、ハウジングレール（１）、支持レール（２）、シールプロファイル（３）及び下降機構を有し、前記シールプロファイル（３）は、前記支持レール（２）上に配置され、前記支持レール（２）は前記下降機構を用いて、前記シールプロファイル（３）と共に、前記ハウジングレール（１）に対し相対的に昇降させることができ、及び、当該ドロップダウンシールは、通り抜け開口部（１２，２５，３０）を有し、これは、前記ドロップダウンシールの長手方向（Ｌ）に対し横に、且つ、前記支持レール（２）の昇降方向（Ａ）に対し平行に延び、この通り抜け開口部をロックバー（４）が通り抜けできる、ドロップダウンシールにおいて、
前記支持レール（２）は、ベースレール（２０）と、前記ドロップダウンシールの長手方向（Ｌ）において前記ベースレール（２０）に隣接する拡張手段（５）とを有し、
前記通り抜け開口部（１２，２５，３０）は、前記拡張手段（５）に沿って、及び／又は、前記拡張手段（５）を通って延び、前記拡張手段（５）の全高にわたって、前記ベースレール（２０）の内側の幅（ＢＢ）より大きいか、あるいは、これに代えて又はこれに加えて、少なくとも前記ベースレール（２０）の外側の幅に相当する内側の幅（ＢＥ）を有し、前記内側の幅（ＢＥ，ＢＢ）及び前記外側の幅は、前記長手方向（Ｌ）に対し垂直に、且つ、前記昇降方向（Ａ）に対し垂直に延び、及び
前記ベースレール（２０）、前記拡張手段（５）及び前記シールプロファイル（３）は、前記下降機構を用いて、共に昇降させることができる、ことを特徴とするドロップダウンシール。
【請求項２】
前記シールプロファイル（３）は、前記ベースレール（２０）及び前記拡張手段（５）のほぼ全長にわたって延びる、請求項１に記載のドロップダウンシール。
【請求項３】
前記拡張手段（５）は、前記ベースレール（２０）上に、これに対し相対的に固定されて配置される、請求項１又は２に記載のドロップダウンシール。
【請求項４】
前記シールプロファイル（３）は、前記ベースレール（２０）上に一体的に形成されるか、又は留め付けられる、請求項１〜３のいずれかに記載ドロップダウンシール。
【請求項５】
前記シールプロファイル（３）は、前記拡張手段（５）に関して固定されずに（ｌｏｓｅ）延びる、請求項１〜４のいずれかに記載のドロップダウンシール。
【請求項６】
前記シールプロファイル（３）は、一部品に構成されるか、又は、互いと固定して連結される複数の部品からなる、請求項１〜５のいずれかに記載のドロップダウンシール。
【請求項７】
端部片（２１）が、前記拡張手段（５）の、前記ベースレール（２０）から離れる側の端部で前記拡張手段（５）に隣接し、前記端部片（２１）は、前記下降機構を用いて、前記ベースレール（２０）、前記拡張手段（５）、及び前記シールプロファイル（３）と共に昇降させることができる、請求項１〜６のいずれかに記載のドロップダウンシール。
【請求項８】
前記拡張手段（５）は、前記端部片（２１）上に、これに対し相対的に固定されて配置される、請求項７に記載のドロップダウンシール。
【請求項９】
前記シールプロファイル（３）は、前記端部片（２１）上に一体的に形成されるか、又は留め付けられる、請求項７又は８に記載のドロップダウンシール。
【請求項１０】
前記拡張手段（５）は２つのプレート（２２，２２’）を備え、これらプレート（２２，２２’）は前記ベースレール（２０）の、及び、存在する場合、前記端部片（２１）の互いに対向する側面に配置され、前記２つのプレートのうち少なくとも１つは、前記ベースレールの壁厚より小さい壁厚を有する、請求項１〜９のいずれかに記載のドロップダウンシール。
【請求項１１】
各プレート（２２，２２’）が、対向する端部でそれぞれ１つの側方翼部（２２１，２２１’，２２２，２２２’）へと移行するベースプレート（２２０，２２０’）を備え、前記２つの側方翼部（２２２，２２２’）の１つに、角度を有する翼部（２２３）が配置される、請求項１０に記載のドロップダウンシール。
【請求項１２】
前記ベースレール（２０）の前面が、前記ベースプレート（２２０，２２０’）のための前面下側止め部を形成し、前記ベースプレート（２２０，２２０’）のエッジ（２２７）が、前記側方翼部（２２１，２２１’，２２２，２２２’）の下に突出する、請求項１１に記載のドロップダウンシール。
【請求項１３】
前記角度を有する翼部（２２３）は、下部領域（２２６）において、前記ベースレール（２０）の、及び、存在する場合、端部片（２１）の内面の領域と対になる形状を有し、その結果、前記角度を有する翼部（２２３）とこの領域との間の連結が回転防止ロックを形成する、請求項１１又は１２に記載のドロップダウンシール。
【請求項１４】
前記２つのプレート（２２，２２’）は同一の構造であり、互いとは別個の２つの部品を形成する、請求項１０〜１３のいずれかに記載のドロップダウンシール。
【請求項１５】
前記２つのプレート（２２，２２’）は共に一部品として構成され、該２つのプレート（２２，２２’）が、それぞれ１つのベースプレート（２２０，２２０’）とぞれぞれ２つの側方翼部（２２１，２２１’，２２２，２２２’）とを備え、共通の角度を有する翼部（２２３）が前記２つのプレート（２２，２２’）の間の接続片を形成する、請求項１１〜１３のいずれかに記載のドロップダウンシール。
【発明の詳細な説明】
【技術分野】
【０００１】
本発明は、ドア扉と床の間の隙間を密閉するための、敷居のないドア用のドロップダウンシールに関する。
【背景技術】
【０００２】
自動的且つ機械的に下降可能なシーリング装置が公知である。このシーリング装置は、通常、ドア扉と床の間の下側の隙間を、隙間風や、音や光の侵入に対して密閉するために、敷居のないドアのために用いられる。例えば、ＥＰ  ０３３８９７４に開示されるシールは、有用であることが実証されている。この場合、シーリング装置は、ドアが開閉されると自動的に作動する。対応する下降機構の例が、ＥＰ  ０５０９９６１、ＤＥ  １９５１６５３０、ＤＥ  ３５２６７２０、ＤＥ  ３４１８４３８及びＤＥ  ３４２７９３８に開示される。この場合、ドロップダウンシールは、ドア閉鎖時に、ドア扉から突出するバネ荷重された始動ボルトを押し込むことにより、片側又は両側で、しかしながら通常前側で作動される。他のタイプの始動機構も知られている。
【０００３】
さらに、ＥＰ  １１９１１８２やＥＰ  １３０８５９０には、このタイプのシールに、ロックボルトやロックバーを受け入れる通り抜け開口部を設けることが開示される。この場合、ロックバーは、ドロップダウンシールのハウジングレール及びシーリングストリップを貫通する。これにより、このタイプのロックバーを用いるときでも、ドアの幅全体を密閉することができ、ボルトは、シーリングストリップの下降機構とは独立して作動させることができる。
【０００４】
ＥＰ  ２０５０９１８は、このタイプの通り抜け開口部を備えるドロップダウンシールを開示し、これは、短くすることが可能な領域を有し、下降機構はこの領域を通り抜けない。
【０００５】
ＩＴ  １３９２９９７  ＶＩは、通り抜け開口部を備える別個の端部片と、シーリングリップとをもつドロップダウンシールを開示し、端部片は手動で下降させなければならない。
【０００６】
ＤＥ  ２０２０１４１００７７４  Ｕは、バー状のガイドプレートを開示し、このプレートは、ハウジングレールの通り抜け開口部が、同時に、ロックバーのガイドとして働かなくてもよいように、ドア扉の下側前面にネジ留めされる。
【０００７】
しかしながら、上記公知の装置においては、ハウジングレールの幅がロックバー及び／又は（ｂｚｗ．）ロックボルトの直径を制限してしまう。言い換えると、狭いシール装置の場合、バー及び／又は（ｂｚｗ．）ボルトが、十分に安定するように矩形断面をもたなければならないか、あるいは、シール装置を、断面積を削減した弱体化したバーとともに使用しなければならない。
【発明の概要】
【発明が解決しようとする課題】
【０００８】
従って、本発明の目的は、比較的厚みのあるロックバー及び／又は（ｂｚｗ．）ボルトとともに使用することもできるドロップダウンシールを提供することである。
【課題を解決するための手段】
【０００９】
この目的は、特許請求項１の特徴を備えるドロップダウンシールによって達成される。
【００１０】
ドア扉と床の間の隙間を密閉するための、敷居のないドア用の本発明によるドロップダウンシールは、ハウジングレール、支持レール、シールプロファイル及び下降機構を有し、前記シールプロファイルは、前記支持レール上に配置され、特に保持される。前記支持レールは、前記下降機構を用いて、前記シールプロファイルと共に、前記ハウジングレールに対し相対的に昇降させることができる。本発明のドロップダウンシールは通り抜け開口部を有し、これは、ドロップダウンシールの長手方向に対し横に、且つ、支持レールの昇降方向に対し平行に延び、ロックバーがこれを通り抜けることができる。前記支持レールは、ベースレールと、このベースレールにドロップダウンシールの長手方向において隣接する拡張手段とを有し、前記通り抜け開口部は、前記拡張手段に沿って及び／又は前記拡張手段を通って延び、前記通り抜け開口部は、前記拡張手段の全高にわたって、前記ベースレールの内側の幅（ｌｉｃｈｔｅ  Ｂｒｅｉｔｅ）より大きいか、あるいは、これに代えて又はこれに加えて、少なくとも前記ベースレールの外側の幅に相当する内側の幅を有する。この場合、これら内側の幅と外側の幅は、長手方向に対し垂直に、且つ、昇降方向に対し垂直に延びる。本発明によると、前記ベースレール、前記拡張手段、及び、前記シールプロファイルは、前記下降機構を用いて、共に昇降させることができる。
【００１１】
本明細書においては、「ロックバー」及び／又は（ｂｚｗ．）「バー」という用語が用いられる。これには、ドロップダウンシールを通り抜けるのに適し、及び、例えば、床の凹所に係合することによって床へのロックを生み出すのに適するロックボルト、又は他の細長い構造物も含まれる。上記バーは、特に、ドアの取っ手に連結されるドライブボルト（Ｔｒｅｉｂｒｉｅｇｅｌ）の一部であってもよいし、又は、別々に作動されるフラッシュボルト（Ｋａｎｔｒｉｅｇｅｌ）の一部であってもよい。
【００１２】
本発明によるドロップダウンシールは、通り抜け開口部の構造がより幅広であるために、及び、好ましくは、拡張手段の構造がより幅広であるために、従来技術より幅広のバーを使用することができる。例えば、ドロップダウンシールの断面が同じ場合、これまでに用いられたバーより１〜２ｍｍ大きい直径を有するバーを用いることができる。
【００１３】
第１の実施形態においては、上記拡張手段の内側の幅だけが、上記ハウジングレールの内法（Ｉｎｎｅｎｍａｓｓ）より幅広である。他の実施形態においては、外法（Ａｕｓｓｅｎｍａｓｓ）もより幅広で、上記支持レールが通常上記ハウジングレール内に有する遊びを、少なくとも部分的に埋める。
【００１４】
本発明による解決策では、上記拡張がハウジングレール内で起こり得る点が有利である。つまり、ドロップダウンシール及び／又は（ｂｚｗ．）ハウジングレールは、公知のシールと同じ断面を有することができる。ハウジングレールは、全長にわたって一部品として延び、これによって、内部部品を保護する。
【００１５】
加えて、上記バーは、支持レールのベースレールによって案内される必要がないので、任意に構成できる点も有利である。拡張手段の内面が平らに構成される場合、拡張手段はバーに沿って実質的に抵抗なくスライドし、バーも拡張手段に沿って実質的に抵抗なくスライドし、バーと支持レールの互いに対する相対的な動きが妨げられない。ＤＥ  ２０２０１４１００７７４  Ｕのような特別なガイドは不要である。
【００１６】
好ましくは、上記シールプロファイルは、上記ベースレールと拡張手段の全長にわたって延びる。
【００１７】
好ましくは、上記拡張手段は、上記ベースレール上に、及びこれに対し相対的に固定されて配置され、特に保持される。これにより、上記シールの組み立てが簡素化され、昇降時の共同の動きが保証される。さらに、上で述べた従来技術から既に公知の支持レールを、ベースレールとして用いることができる。つまり、ベースレールは、公知の支持レールのプロファイル形状を有することができる。
【００１８】
上記シールプロファイルは、通常、エラストマー材料からなる。好ましくは、これは、ベースレール上に一体的に形成されるか、又は留め付けられる。これにより、シールプロファイルは、実際には、シールの全長にわたって、支持レールに連結される。この場合、好ましくは、シールプロファイルは、少なくとも、ハウジングレールの全長にわたって延びる。実施形態に応じて、シールプロファイルは、長手方向において、ハウジングレールの片側又は両側で突出さえする。
【００１９】
しかしながら、好ましくは、上記シールプロファイルは、上記拡張手段に直接的に留め付けられるのではなく、この領域で固定されずに（ｌｏｓｅ）延びる。これにより、拡張手段の側壁を、非常に薄く形成することができる。
【００２０】
好ましくは、上記シールプロファイルは、２つの上方に向いた脚部（Ｓｃｈｅｎｋｅｌ）を有し、これらは、ハウジングレールの内壁に、摺動自在且つ密閉可能に当接する。好ましくは、脚部は、シールプロファイルの全長にわたって、つまり、拡張手段に沿っても延びる。
【００２１】
好ましくは、シールプロファイルは一部品に構成されるか、又は、共に固定して連結される複数の部分からなる。これらの部分は、例えば、共に接着されるか、又は共に溶接される。
【００２２】
好ましくは、上記拡張手段は、ドロップダウンシールの端部を形成せず、さらなる端部片が存在し、端部片は、拡張手段の、ベースレールから離れる側の端部で、拡張手段に隣接する。この場合、シールプロファイルは、好ましくは、この端部片の全長に渡っても延びる。端部片は、下降機構を用いて、ベースレール、拡張手段、及びシールプロファイルと共に昇降させることができる。よって、拡張手段は、支持レールにおいて中断部を形成する。端部片とベースレールは、好ましくは同じ構造をもち、シールプロファイルは、好ましくは、ベースレール及び端部片上に一体的に形成されるか、又は保持される。好ましくは、シールプロファイルは、ベースレール全体、拡張手段、及び端部片にわたって、途切れることなく延びる。
【００２３】
好ましくは、上記拡張手段は、上記端部片上に、これに相対的に固定されて配置され、特に保持される。これにより、拡張手段は、一方の端部をベースレールに、他方の端部を端部片に留め付けることができる。従って、拡張手段は、ベースレールと端部片の間の架け橋を形成する。
【００２４】
好ましくは、ベースレール及び端部片は、それらの断面を同じに構成される。従って、端部片も、好ましくは、従来技術から公知の支持レールのプロファイルから製造される。
【００２５】
ベースレール、端部片、及び拡張手段は、好ましくは、共に支持レールを形成し、これは、好ましくは、両側で、ハウジングレールから突出せず、好ましくは、同じ長さであるか、又はわずかに短い。
【００２６】
上記バーが下降工程を阻害しないように、機械的な下降機構は、好ましくは、ただベースレールに沿ってのみ延び、好ましくは、拡張手段から距離をおいて終端する。
【００２７】
上記拡張手段は、残りの支持レールが許すより大きい内側の幅をもつ通り抜け開口部を可能とする限り、任意に構成することができる。好ましい実施形態において、拡張手段は、２つのプレートを備える。これらのプレートは、好ましくは、外側へ曲がっている。好ましくは、プレートの少なくとも１つ、好ましくは、両方のプレートが、ベースレールの壁厚に比べて狭く構成される。
【００２８】
上記プレートは、好ましくは、ベースレールの、及び、存在する場合、端部片の、使用状態において互いに対向して鉛直に延びる側壁に留め付けられる。ベースレール及び端部片への留め付けは、好ましくは、それぞれ、１つのリベットピン又はボルトを用いて行われ、これは、ベースレール及び端部片それぞれの２つの対向する側壁に打ち込まれる。これにより、側壁に内側で当接する側方翼部を固定する。
【００２９】
上記２つのプレートの少なくとも１つ、好ましくは両方のプレートは、ベースレールの対応する壁厚より小さい壁厚を有する。
【００３０】
１つの好ましい実施形態においては、上記拡張手段は、これら２つのプレートからなる。
【００３１】
好ましくは、各プレートは、対向する端部でそれぞれ１つの側方翼部へと移行するベースプレートを備え、２つの側方翼部の１つに角度を有する（ａｂｇｅｗｉｎｋｅｌｔｅｒ）翼部が配置される。好ましくは、ベースプレートは、外側に曲がっている。ベースプレートのこの曲がりは連続的、すなわち弓形であってよい。しかしながら、１以上の段部で形成されてもよい。上記側方翼部は、好ましくは平面に構成される。
【００３２】
好ましくは、上記ベースレールの前面は、上記ベースプレートのための前面下側止め部を形成し、ベースプレートは側方翼部から下方に突出する。これにより、上記プレートは、長手方向に、ベースレールに対し相対的に移動することができない。好ましくは、上記端部片もまた、端部片に対する相対的な移動がやはり不可能なように、このような止め部を形成する。これらの止め部は、リベット接合の回転防止ロック（Ｖｅｒｄｒｅｈｓｉｃｈｅｒｕｎｇ）を形成する。
【００３３】
好ましくは、角度を有する翼部は、下部領域において、ベースレールの、及び、存在する場合、端部片の内面の領域と対になる形状を有し、角度を有する翼部とこの領域の間の連結がさらなる回転防止ロックを形成する。
【００３４】
好ましくは、上記２つのプレートは、同一の構造を有する。１つの実施形態においては、これらのプレートは、互いとは別個の２つの部品であり、一方の角度を有する翼部が端部片に配置され、他方の角度を有する翼部がベースレールに配置されるように、互いに対し鏡面対称に配置される。
【００３５】
さらなる実施形態においては、上記２つのプレートは共に一部品に構成され、２つのプレートが、それぞれ１つのベースプレートとそれぞれ２つの側方翼部を備え、共通の角度を有する翼部が、これら２つのプレートの間の接続片を形成する。拡張手段の開放端部、すなわち、角度を有する翼部又は接続ウェブに対向する端部には、スペーサ、例えばスペーサスリーブを、支持レールの側壁内に挟み込むことができる。
【００３６】
さらなる実施形態は従属請求項に開示される。
【図面の簡単な説明】
【００３７】
本発明の好ましい実施形態を、図を参照して以下に開示するが、これらは単に説明のためのものであって、限定するものとして解釈されるべきではない。
【００３８】
【図１】図１は、本発明によるドロップダウンシールの斜視図であり、このシールを通り抜けるバーが備わっている。
【図２】図２は、図１によるドロップダウンシールの支持レールと、この支持レールを通り抜けるバーの斜視図である。
【図３】図３は、支持レールとシールプロファイルを持ち上げた状態の、図１によるドロップダウンシールの長手方向断面図である。
【図４】図４は、支持レールとシールプロファイルを持ち上げた状態の、図１によるドロップダウンシールの前面図である。
【図５】図５は、支持レールとシールプロファイルを下げた状態の、図１によるドロップダウンシールの長手方向断面図である。
【図６】図６は、支持レールとシールプロファイルを下げた状態の、図１によるドロップダウンシールの前面図である。
【図７】図７は、図２によるバーを備えた支持レールの上面図である。
【図８】図８は、図７の拡大した一部分を示す。
【図９】図９は、第１の実施形態における本発明による拡張手段のプレートの斜視図である。
【図１０】図１０は、図９によるプレートの正面図である。
【図１１】図１１は、図９によるプレートの上面図である。
【図１２】図１２は、図９によるプレートの側面図である。
【図１３】図１３は、第２の実施形態における本発明による拡張手段のプレートの正面図である。
【図１４】図１４は、図１３によるプレートの上面図である。
【図１５】図１５は、図１３によるプレートの側面図である。
【図１６】図１６は、第３の実施形態における本発明による拡張手段のプレートの正面図である。
【図１７】図１７は、図１６によるプレートの上面図である。
【図１８】図１８は、図１６によるプレートの側面図である。
【発明を実施するための形態】
【００３９】
図１は、本発明によるドロップダウンシールを示し、これを、バー４又はフラッシュボルト又はドライブボルトのボルトが通り抜ける。バー４は、方向Ａにおいてドロップダウンシールに対し相対的に移動可能である。つまり、バー４とドロップダウンシールは、互いと独立に昇降させることができる。
【００４０】
ドロップダウンシールはハウジングレール１を有し、この中に、シーリングストリップが、方向Ａにおいて昇降可能となるように保持される。シーリングストリップは、支持レール２と、これに留め付けられるエラストマーのシールプロファイル３とを含む。ハウジングレール１と支持レール２は、好ましくは金属、特にアルミニウムからなる。下方に開いて構成されるほぼＵ字形のハウジングレール１には、見えてはいないが、公知のタイプの機械的な下降機構が配置され、この下降機構は、公知のタイプの作動ボタン内の、ドロップダウンシールの前面端部（図示しない）で終わり、この作動ボタンは、ハウジングレール１から突出し、ドア扉が閉じられると押し込まれて、それにより下降機構が作動する。他のタイプの機械的な下降機構や始動要素を用いることもできる。
【００４１】
図１の持ち上がった状態では、シーリングストリップ２，３は、ハウジングレール１の側壁１１の間に収容される。ハウジングレール１の上側ウェブの、前面の端部領域には、通り抜け開口部１２が存在する。この通り抜け開口部１２は、好ましくは円形である。しかしながら、別の形状であってもよい。特に、楕円形又は矩形であってよい。この通り抜け開口部１２を、バー４が通り抜ける。図３〜６で確認できるように、シールプロファイル３も、対応する通り抜け開口部３０を有する。ハウジングレール１の通り抜け開口部１２は、好ましくは、バー４を案内するような寸法である；すなわち、バー４の直径よりわずかに大きい。シールプロファイル３の通り抜け開口部３０は、好ましくは、細長い穴として構成され、この細長い穴の横断方向が、バーの直径よりわずかに大きい。これにより、シールが保証される。
【００４２】
これに対し、バー４の領域の支持レール２は、単に通り抜け開口部を有するのではなく、この領域の支持レール２は、拡張手段５として構成される。
【００４３】
図２に明らかなように、支持レール２は、公知のタイプの、上方に開いたほぼＵ字形のプロファイルレールから形成されるベースレール２０を有する。これは、シールプロファイル３を留め付けるための下部領域を有する。このベースレール２０は、通り抜け開口部１２の近くまで、ハウジングレール１のほぼ全長にわたって延びる。ベースレール２０は、機械的下降機構と連結され、これによってハウジングレール１と連結される。下降機構は、任意の始動要素を除いて、好ましくは、ベースレール２０においてのみ延び、拡張手段５から距離をおいて終端する。
【００４４】
拡張手段５は、ベースレール２０に隣接する。この例では、拡張手段５は、第１の固定要素２３、この場合第１のリベットピンによって、ベースレール２０の内壁に留め付けられる。
【００４５】
拡張手段５の対向する端部には、端部片２１が隣接する。形状に関しては、この端部片は、ベースレール２０と同一に構成されるが、大幅に短く、ベースレール同様、好ましくは金属、特にアルミニウムから構成される。拡張手段５は、第２の固定要素２４、この場合第２のリベットピンによって、この端部片２１の内壁にも留め付けられる。
【００４６】
図７及び８ではっきりと分かるように、拡張手段５は、隣接するベースレール２０よりも、及び隣接する端部片２１よりも大きい内側の幅ＢＥをもつ通り抜け開口部２５を有する。ベースレール２０の内側の幅は、図８でＢＢとされる。従って、残りの支持レール２が許すよりも大きな直径を有するバー４を用いることができる。
【００４７】
シールプロファイル３は、ベースレール２０及び端部片２１に留め付けられるが、拡張手段５には留め付けられない。しかしながら、シールプロファイルは、シールの全長Ｌにわたって、すなわち、拡張手段５の領域に沿っても延びる。
【００４８】
ベースレール２０、拡張手段２１及び端部片２２の硬く曲がらない（ｓｔａｒｒｅｎ  ｕｎｄ  ｓｔｅｉｆｅｎ）連結により、これら３つの部分は、昇降機構が連結されるのはベースレール２０だけで、シーリングストリップの残りの要素には連結されないけれども、シールプロファイルとともに、同じ下降機構によって昇降させることができる。
【００４９】
図９〜１２では、図１〜８の第１の実施形態における拡張手段５がどのように構成されるかが確認できる。拡張手段５は２つのプレート２２からなり、このうちの１つが図９〜１２に示されている。他方のプレート２２は、好ましくは同一の構造をしているが、シール内で１８０°回転して配置される。
【００５０】
プレート２２の少なくとも１つ、好ましくは両方のプレート２２は、非常に狭く且つ薄く構成される。これらは、特に、ベースレール２０の側壁より大幅に薄い。これらプレートは、好ましくは、金属又はプラスチックからなる。好ましくは、これらはスチールからなる。これらは、好ましくは、硬く構成され、弾力性がない。
【００５１】
プレート２２は、外側へ曲がったベース本体２２０を有する。ここでは、湾曲部は連続的である。ベース本体２２０の両側に、側方翼部２２１，２２２が隣接し、これには、それぞれ固定開口部２２４，２２５が設けられる。これら固定開口部を、それぞれリベットピン２３，２４が通り抜ける。側方翼部の１つ２２２に、角度を有する翼部２２３が隣接する。この角度は好ましくは９０°である。この角度を有する翼部２２３は、プレート２２がベースレール２０と端部片２１の間に挿入されるときに、スペーサとして働く。翼部２２３の長さは、好ましくは、収容部分、すなわち、ベースレール２０又は端部片２１の内側の幅に相当する。
【００５２】
角度を有する翼部２２３は、下部領域に、端部片２１及びベースレール２０それぞれの内側の側面に対応する先細部２２６を有する。これにより、角度を有する翼部２２３は、この空隙に形状的に適合し、それにより回転防止ロックを形成する。
【００５３】
さらなる回転防止ロックは、ベース本体２２０が側方翼部２２１，２２２と比べて突出するエッジ２２７を有することによって保証される。このエッジ２２７は、ベースレール２０及び端部片２１それぞれの下側前面に当接する。このエッジは、さらに、端部片２１とベースレールの間の距離を保持する働きをする。
【００５４】
図８で分かるように、拡張手段の対向する第２のプレート２２’は、その角度を有する翼部２２３’がベースレール２０内に配置されるように配置され、このとき、第１のプレート２０の角度を有する翼部２２３は端部片２１に位置する。
【００５５】
ベース本体２２０，２２０’の内壁及び外壁は、好ましくは滑らかな構造をしている。これにより、拡張手段５は、バー４に対し相対的にほぼ摩擦なく動くことができる。
【００５６】
図１３〜１５には、拡張手段５のプレート２２の第２の例示の実施形態を示す。この場合もまた、同一に構成されるが互いに対し鏡面対称に配置される２つのプレート２２が拡張手段５を形成する。プレート２２は、既に説明したプレートと実質的には同一に構成される。しかしながら、ベースプレート２２０は、段状になっており、外側へ連続的に曲がっていない。
【００５７】
図１６〜１８による例示の実施形態では、拡張手段５は２つの別々のプレートから形成されるのではなく、実質的には２つのプレートからなる一体の部品によって形成される。角度を有する翼部２２３は、２つの側方翼部２２２，２２２’の間に接続ウェブを形成する。対向する側には角度を有する翼部はなく、側方翼部２２１，２２１’は、対向する側において連結されずに終わる。実施形態に応じて、この自由端部領域にスペーサ、例えばスペーサスリーブが挟み込まれる。
【００５８】
従って、分割された支持レールを備える本発明によるドロップダウンシールは、比較的厚みのある、ゆえに安定したドライブボルトバー又はエッジボルトバーと共に用いることができる。
【符号の説明】
【００５９】
１        ハウジングレール
１０      上側ウェブ
１１      側壁
１２      通り抜け開口部
２        支持レール
２０      ベースレール
２１      端部片
２２      第１のプレート
２２’    第２のプレート
２２０    ベースプレート
２２０’  鏡面対称のベースプレート
２２１    第１の側方翼部
２２１’  鏡面対称の第１の側方翼部
２２２    第２の側方翼部
２２２’  鏡面対称の第２の側方翼部
２２３    角度を有する翼部
２２４    第１の固定開口部
２２５    第２の固定開口部
２２６    先細部
２２７    突出するエッジ
２３      第１の固定要素
２４      第２の固定要素
２５      通り抜け開口部
３        シールプロファイル
３０      通り抜け開口部
４        ロックバー
５        拡張手段
Ｌ        ドロップダウンシールの長手方向
Ａ        昇降方向
ＢＥ      拡張手段の内側の幅
ＢＢ      ベースレールの内側の幅
【図１】
2018524500.tif 000003
【図２】
2018524500.tif 000004
【図３】
2018524500.tif 000005
【図４】
2018524500.tif 000006
【図５】
2018524500.tif 000007
【図６】
2018524500.tif 000008
【図７】
2018524500.tif 000009
【図８】
2018524500.tif 000010
【図９】
2018524500.tif 000011
【図１０】
2018524500.tif 000012
【図１１】
2018524500.tif 000013
【図１２】
2018524500.tif 000014
【図１３】
2018524500.tif 000015
【図１４】
2018524500.tif 000016
【図１５】
2018524500.tif 000017
【図１６】
2018524500.tif 000018
【図１７】
2018524500.tif 000019
【図１８】
2018524500.tif 000020
【国際調査報告】
2018524500.tif 000021
2018524500.tif 000022
2018524500.tif 000023
2018524500.tif 000024